(57)【要約】【課題】できる限りユーザに撮影距離を変更させずに、適正露光量を与える撮影条件に設定する閃光制御装置を提供する。【解決手段】閃光制御装置は、撮影距離の入力手段と、演算部と、発光制御部とを備えている。電子閃光装置がＦＰ発光モードの場合、演算部は、撮影距離と、外部から取得するカメラ側の絞り値、撮像感度、及び露光時間とに応じて、適正発光強度を求める。電子閃光装置が単発発光モードの場合、演算部は、撮影距離と、絞り値と、撮像感度とに応じて、適正発光強度を求める。発光制御部は、適正発光強度での発光を電子閃光装置に指令する。閃光制御装置は、被写体に対して適正な露光量を与えるように閃光発光を制御する。【選択図】　　　図１
2004085885.tif 000002
【特許請求の範囲】
【請求項１】
単発発光を実施できる単発発光モードと、ＦＰ発光を実施できるＦＰ発光モードとを切り替え可能な電子閃光装置の閃光制御装置であって、
撮影距離の入力手段と、
前記電子閃光装置が前記ＦＰ発光モードの場合、前記撮影距離と、外部から取得するカメラ側の絞り値、撮像感度、及び露光時間とに応じて、被写体を適正光量で照明する適正発光強度を求め、前記電子閃光装置が前記単発発光モードの場合、前記撮影距離と、前記絞り値と、前記撮像感度とに応じて、前記適正発光強度を求める演算部と、
前記適正発光強度での発光を前記電子閃光装置に指令する発光制御部と
を備え、
前記被写体に対して適正な露光量を与えるように閃光発光を制御する
ことを特徴とする閃光制御装置。
【請求項２】
請求項１記載の閃光制御装置において、
前記電子閃光装置が前記単発発光モードの場合、前記演算部は、前記適正発光強度を、前記撮影距離の２乗及び前記絞り値の２乗に比例し、前記撮像感度に反比例するように求め、
前記電子閃光装置が前記ＦＰ発光モードの場合、前記演算部は、前記適正発光強度を、前記撮影距離の２乗及び前記絞り値の２乗に比例し、前記撮像感度及び前記露光時間に反比例するように求める
ことを特徴とする閃光制御装置。
【請求項３】
請求項１または請求項２記載の閃光制御装置において、
前記カメラ側のシャッタのＸ秒時より前記露光時間が短い場合、前記発光制御部は、前記電子閃光装置を前記ＦＰ発光モードにし、
前記電子閃光装置の発光モードが切り替わる場合、前記演算部は、前記撮影距離を変更せずに前記適正発光強度を新たに求める
ことを特徴とする閃光制御装置。
【請求項４】
請求項１〜請求項３のいずれか１項記載の閃光制御装置において、
前記演算部は、前記適正発光強度が前記電子閃光装置の発光可能範囲外か否かを判定し、前記発光可能範囲外の場合、前記適正発光強度を前記発光可能範囲内にする、前記撮影距離、前記絞り値、前記撮像感度、及び前記露光時間の少なくとも１つの修正値を求める
ことを特徴とする閃光制御装置。
【請求項５】
請求項１〜請求項４のいずれか１項記載の閃光制御装置において、
前記演算部は、前記電子閃光装置が前記ＦＰ発光モードの場合に、前記適正発光強度が前記ＦＰ発光の最大発光強度より大きいか否かを判定し、
前記判定の結果、大きい場合、前記演算部は、前記露光時間を前記カメラ側のシャッタのＸ秒時より長くして前記絞り値を大きくするように前記カメラ側に指令し、かつ前記発光制御部は、前記電子閃光装置を前記単発発光モードに切り替える
ことを特徴とする閃光制御装置。
【請求項６】
請求項１〜請求項５のいずれか１項記載の閃光制御装置において、
前記演算部は、前記電子閃光装置が前記単発発光モードの場合に、前記適正発光強度が前記単発発光の最大発光強度より大きいか否かを判定し、
前記判定の結果、大きい場合、前記演算部は、前記露光時間を短くして前記絞り値を下げる絞り値低減動作と、前記撮像感度を増大させる撮像感度増大動作の少なくともいずれかを前記カメラ側に指令する
ことを特徴とする閃光制御装置。
【請求項７】
請求項１〜請求項６のいずれか１項記載の閃光制御装置において、
前記演算部は、前記電子閃光装置が前記単発発光モードの場合に、前記適正発光強度が前記単発発光の最小発光強度より小さいか否かを判定し、
前記判定の結果、小さい場合、前記発光制御部は、前記電子閃光装置を前記ＦＰ発光モードに切り替える
ことを特徴とする閃光制御装置。
【請求項８】
請求項１〜請求項７のいずれか１項記載の閃光制御装置において、
前記演算部は、前記電子閃光装置が前記ＦＰ発光モードの場合に、前記適正発光強度が前記ＦＰ発光の最小発光強度より小さいか否かを判定し、
前記判定の結果、小さい場合、前記演算部は、前記撮像感度を低減させる撮像感度低減動作を前記カメラ側に指令する
ことを特徴とする閃光制御装置。
【請求項９】
請求項１〜請求項８記載の閃光制御装置において、
前記演算部は、前記カメラ側が測定する前記被写体と前記カメラ側との距離を測定距離として取得する手段を有し、
前記測定距離と前記撮影距離とが大きく異なると前記演算部が判定した場合に、警告する手段を有している
ことを特徴とする閃光制御装置。
【請求項１０】
請求項９記載の閃光制御装置において、
前記撮影距離が入力されない場合、前記演算部は、前記撮影距離の代わりに前記測定距離に応じて、前記適正発光強度を求める
ことを特徴とする閃光制御装置。
【請求項１１】
請求項１〜請求項１０のいずれか１項記載の閃光制御装置において、
前記演算部は、前記適正発光強度が前記電子閃光装置の最大発光強度より大きいか否かを判定し、前記判定の結果、大きい場合、前記適正発光強度を前記電子閃光装置の最大発光強度に最も近くする前記撮影距離を推奨撮影距離として求め、
前記演算部は、前記適正発光強度が前記電子閃光装置の最小発光強度より小さいか否かを判定し、前記判定の結果、小さい場合、前記適正発光強度を前記電子閃光装置の最小発光強度に最も近くする前記撮影距離を前記推奨撮影距離として求め、
前記推奨撮影距離をユーザに知らせる手段を有している
ことを特徴とする閃光制御装置。
【請求項１２】
請求項１〜請求項１１のいずれか１項記載の閃光制御装置において、
前記演算部は、前記適正発光強度が前記電子閃光装置の発光可能範囲外か否かを判定し、
前記絞り値、前記露光時間、前記電子閃光装置の発光部の配光角の少なくともいずれかの変化により、前記電子閃光装置の最大発光強度が前記適正発光強度より小さくなった場合、前記演算部は、前記適正発光強度を前記電子閃光装置の最大発光強度に最も近くする前記撮影距離を推奨撮影距離として求め、
前記絞り値、前記露光時間、前記配光角の少なくともいずれかの変化により、前記電子閃光装置の最小発光強度が前記適正発光強度より大きくなった場合、前記演算部は、前記適正発光強度を前記電子閃光装置の最小発光強度に最も近くする前記撮影距離を前記推奨撮影距離として求め、
前記推奨撮影距離をユーザに知らせる手段を有している
ことを特徴とする閃光制御装置。
【請求項１３】
請求項１〜請求項１２のいずれか１項記載の閃光制御装置において、
前記演算部は、前記適正発光強度が前記電子閃光装置の発光可能範囲外か否かを判定し、
前記絞り値、前記露光時間、前記電子閃光装置の発光部の配光角の少なくともいずれかの変化により、前記適正発光強度が前記電子閃光装置の発光可能範囲から外れた場合に、警告する手段を有している
ことを特徴とする閃光制御装置。
【請求項１４】
請求項１〜請求項１３のいずれか１項記載の閃光制御装置及び発光部を備えていると共に、前記単発発光モード及び前記ＦＰ発光モードを切り替え可能に有している
ことを特徴とする電子閃光装置。
【請求項１５】
請求項１〜請求項１３のいずれか１項記載の閃光制御装置及び発光部を備えていると共に、前記単発発光モード及び前記ＦＰ発光モードを切り替え可能に有する電子閃光装置と、
被写体を撮像する撮像部を有するカメラと
を備えていることを特徴とする撮影システム。
【発明の詳細な説明】
【０００１】
【発明の属する技術分野】
本発明は、カメラ用の電子閃光装置に関し、さらに詳しくは、電子閃光装置の制御装置に関する。また、本発明は、電子閃光装置とカメラとを有する撮影システムに関する。
【０００２】
【従来の技術】
カメラ用の電子閃光装置の発光方式として、シャッタ幕が全開した直後に発光する単発発光と、ＦＰ発光とが知られている。ＦＰ発光は、シャッタ幕が全開しないスリット露光中全体に亘って、フラット光と見なせる時間間隔で発光を繰り返すものである。ＦＰ発光は、単発発光に比べ発光時間が長く、発光のためにより多くのエネルギーを消費する。このため、ＦＰ発光の最大発光強度（１／１発光に対応）は、単発発光の最大発光強度より小さくなる。
【０００３】
特開平５−４５７０６号公報では、ＦＰ発光を行う撮影システムの一例が開示されている。この撮影システムでは、カメラと閃光装置は、撮影距離、撮影レンズの絞り値、露光時間（シャッタ秒時）、フィルム感度等の情報を共有している。閃光装置は、露光時間をカバーできる閃光持続時間を選択可能にしている。また、閃光装置は、選択された閃光持続時間により決まる閃光の発光強度、絞り値、フィルム感度等の情報を基に、被写体を適正光量で照明する適正撮影距離を求め、表示している。
【０００４】
また、露光時間に応じて単発発光とＦＰ発光とを自動で切り替えている電子閃光装置として、１／１発光、１／２発光・・・１／６４発光のように表示される発光強度から、いずれかをユーザが選択できるものが知られていた。このような電子閃光装置では、選択された発光強度と、絞り値等の撮影条件に応じて、適正撮影距離を求め、表示している。
【０００５】
【発明が解決しようとする課題】
上述した撮影システムでは、表示された適正撮影距離と実際の撮影距離とが異なる場合、ユーザは、適正な露光量の写真を撮るためには、適正撮影距離と実際の撮影距離とが近くなるようにする必要がある。具体的には、移動することで撮影距離を表示された適正撮影距離に近づけるか、絞り値等の撮影条件を変更することで、表示される適正撮影距離を実際の撮影距離に近づける必要がある。このため、撮影距離を変更することなく、より少ない作業量で、適正な撮影条件に設定できる撮影装置が要望されていた。
【０００６】
上述した電子閃光装置では、ユーザは、撮影距離を変更したくない場合、発光強度の選択後、絞り値等を何度か入力することで、表示される適正撮影距離が実際の撮影距離に近くなるようにする必要がある。また、例えば、被写体が暗くなってカメラ側の露光時間が自動的に長く変更された場合、ＦＰ発光モードから単発発光モードに切り替わる。この場合、ＦＰ発光モードで適正な露光量を与える撮影条件に設定していたとしても、単発発光モードで絞り値等の設定をし直す必要がある。このため、ユーザは、単発発光モードの場合と、ＦＰ発光モードの場合の双方の設定方法を知っておく必要がある。これは、同じ１／１発光でも単発発光とＦＰ発光とで発光強度は異なることに加え、適正撮影距離を求める計算式は、単発発光とＦＰ発光とで異なるためである。
【０００７】
より詳細には、単発発光での適正撮影距離は、発光強度と、絞り値と、フィルム感度とで求まるのに対し、ＦＰ発光での適正撮影距離は、さらに露光時間にも依存するからである。即ち、ＦＰ発光で適正な撮影条件を求めることは、適正撮影距離を決めるパラメータが単発発光の場合より１つ多い分だけ複雑になる。一方で、ＦＰ発光か単発発光かに関わらず、同様の操作で適正な露光量を与える撮影条件に容易に設定できる電子閃光装置が要望されていた。
【０００８】
本発明の目的は、できる限りユーザに撮影距離を変更させることなく、適正な露光量を与える撮影条件に自動的に設定する閃光制御装置を提供することである。
本発明の別の目的は、ユーザに単発発光かＦＰ発光かを考慮させることなく、単発発光とＦＰ発光とを適切に切り替え、適正な露光量を与える撮影条件に設定する閃光制御装置を提供することである。
【０００９】
本発明の別の目的は、上記の閃光制御装置を備えた電子閃光装置を提供することである。
本発明の別の目的は、上記の電子閃光装置を備えた撮影システムを提供することである。
【００１０】
【課題を解決するための手段】
《請求項１》
本発明の閃光制御装置は、単発発光を実施できる単発発光モードと、ＦＰ発光を実施できるＦＰ発光モードとを切り替え可能な電子閃光装置の閃光制御装置である。閃光制御装置は、撮影距離の入力手段と、演算部と、発光制御部とを備えている。
【００１１】
電子閃光装置がＦＰ発光モードの場合、演算部は、撮影距離と、外部から取得するカメラ側の絞り値、撮像感度、及び露光時間とに応じて、被写体を適正光量で照明する適正発光強度を求める。電子閃光装置が単発発光モードの場合、演算部は、撮影距離と、絞り値と、撮像感度とに応じて、適正発光強度を求める。
発光制御部は、適正発光強度での発光を電子閃光装置に指令する。
【００１２】
閃光制御装置は、被写体に対して適正な露光量を与えるように閃光発光を制御する。
《請求項２》
電子閃光装置が単発発光モードの場合、演算部は、適正発光強度を、撮影距離の２乗及び絞り値の２乗に比例し、撮像感度に反比例するように求める。電子閃光装置がＦＰ発光モードの場合、演算部は、適正発光強度を、撮影距離の２乗及び絞り値の２乗に比例し、撮像感度及び露光時間に反比例するように求める。
【００１３】
《請求項３》
カメラ側のシャッタのＸ秒時より露光時間が短い場合、発光制御部は、電子閃光装置をＦＰ発光モードにする。電子閃光装置の発光モードが切り替わる場合、演算部は、撮影距離を変更せずに適正発光強度を新たに求める。
《請求項４》
演算部は、求めた適正発光強度が電子閃光装置の発光可能範囲外か否かを判定する。適正発光強度が発光可能範囲外の場合、演算部は、適正発光強度を発光可能範囲内にする、撮影距離、絞り値、撮像感度、及び露光時間の少なくとも１つの修正値を求める。
【００１４】
《請求項５》
演算部は、電子閃光装置がＦＰ発光モードの場合に、求めた適正発光強度がＦＰ発光の最大発光強度より大きいか否かを判定する。この判定の結果、大きい場合、演算部は、露光時間をカメラ側のシャッタのＸ秒時より長くして絞り値を大きくするようにカメラ側に指令し、かつ発光制御部は、電子閃光装置を単発発光モードに切り替える。
【００１５】
《請求項６》
演算部は、電子閃光装置が単発発光モードの場合に、求めた適正発光強度が単発発光の最大発光強度より大きいか否かを判定する。この判定の結果、大きい場合、演算部は、露光時間を短くして絞り値を下げる絞り値低減動作と、撮像感度を増大させる撮像感度増大動作の少なくともいずれかをカメラ側に指令する。
【００１６】
《請求項７》
演算部は、電子閃光装置が単発発光モードの場合に、求めた適正発光強度が単発発光の最小発光強度より小さいか否かを判定する。この判定の結果、小さい場合、発光制御部は、電子閃光装置をＦＰ発光モードに切り替える。
【００１７】
《請求項８》
演算部は、電子閃光装置がＦＰ発光モードの場合に、求めた適正発光強度がＦＰ発光の最小発光強度より小さいか否かを判定する。この判定の結果、小さい場合、演算部は、撮像感度を低減させる撮像感度低減動作をカメラ側に指令する。《請求項９》
演算部は、カメラ側が測定する被写体とカメラ側との距離を測定距離として取得する手段を有している。閃光制御装置は、測定距離と撮影距離とが大きく異なると演算部が判定した場合に、警告する手段を有している。
【００１８】
《請求項１０》
撮影距離が入力されない場合、演算部は、撮影距離の代わりに測定距離に応じて、適正発光強度を求める。
《請求項１１》
演算部は、適正発光強度が電子閃光装置の最大発光強度より大きいか否かを判定する。この判定の結果、大きい場合、演算部は、適正発光強度を電子閃光装置の最大発光強度に最も近くする撮影距離を推奨撮影距離として求める。
【００１９】
また、演算部は、適正発光強度が電子閃光装置の最小発光強度より小さいか否かを判定する。この判定の結果、小さい場合、演算部は、適正発光強度を電子閃光装置の最小発光強度に最も近くする撮影距離を推奨撮影距離として求める。
そして、閃光制御装置は、求められた推奨撮影距離をユーザに知らせる手段を有している。
【００２０】
《請求項１２》
演算部は、適正発光強度が電子閃光装置の発光可能範囲外か否かを判定する。絞り値、露光時間、電子閃光装置の発光部の配光角の少なくともいずれかの変化により、電子閃光装置の最大発光強度が適正発光強度より小さくなった場合、演算部は、適正発光強度を電子閃光装置の最大発光強度に最も近くする撮影距離を推奨撮影距離として求める。
【００２１】
また、絞り値、露光時間、配光角の少なくともいずれかの変化により、電子閃光装置の最小発光強度が適正発光強度より大きくなった場合、演算部は、適正発光強度を電子閃光装置の最小発光強度に最も近くする撮影距離を推奨撮影距離として求める。
そして、閃光制御装置は、求められた推奨撮影距離をユーザに知らせる手段を有している。
【００２２】
《請求項１３》
演算部は、適正発光強度が電子閃光装置の発光可能範囲外か否かを判定する。絞り値、露光時間、電子閃光装置の発光部の配光角の少なくともいずれかの変化により、適正発光強度が電子閃光装置の発光可能範囲から外れた場合に、警告する手段を閃光制御装置は有している。
【００２３】
《請求項１４》
電子閃光装置は、請求項１〜請求項１３のいずれか１項記載の閃光制御装置及び発光部を備えている。また、電子閃光装置は、単発発光モード及びＦＰ発光モードを切り替え可能に有している。
《請求項１５》
撮影システムは、請求項１〜請求項１３のいずれか１項記載の閃光制御装置を備えた電子閃光装置と、被写体を撮像する撮像部を備えたカメラとを有している。電子閃光装置は、発光部を備えていると共に、単発発光モード及びＦＰ発光モードを切り替え可能である。
【００２４】
【発明の実施の形態】
以下、図面を用いて本発明の実施形態を説明する。
《本実施形態の構成》
図１は、本実施形態の撮影システムの構成を示すブロック図である。撮影システム１０は、カメラ１２に、本発明の閃光制御装置１４を搭載した電子閃光装置１６を装着することで構成されている。
【００２５】
カメラ１２は、距離測定部２２と、撮影レンズ２４と、絞り２６と、ペンタプリズム３０と、拡散板３２と、ミラー３４と、フォーカルプレーンシャッタ３８と、ＣＣＤ４０と、画像処理部４２と、記録部４４と、ＣＰＵ４８と、露出設定部５０と、レリーズ釦５２と、ファインダー５４と、測光部５６と、通信端子５８とを有している。
【００２６】
距離測定部２２は、距離環（図示せず）の回転角からピントの合っている被写体と撮影レンズ２４との距離を測定し、測定距離として、ＣＰＵ４８に伝達する。また、距離測定部２２は、撮影レンズ２４の焦点距離をＣＰＵ４８に伝達する。
撮影レンズ２４は、複数のレンズ（図示せず）から構成されているズームレンズであり、ピント位置をずらすことなく焦点距離を調節可能である。
【００２７】
ＣＣＤ４０は、被写体からの光を撮影レンズ２４を介して受け、受光量に応じた量の電荷を生成する。
画像処理部４２は、ＣＣＤ４０から電荷を読み出し、画像データを生成する。
記録部４４は、画像データをフラッシュメモリ（図示せず）に記録する。
露出設定部５０は、ユーザがカメラ１２（のＣＰＵ４８）を自動露出モード、絞り値優先モード、シャッタ秒時優先モード、マニュアル露出モードのいずれかに設定するための釦（図示せず）を有している。露出設定部５０は、ユーザが撮影レンズ２４の絞り値、露光時間（シャッタ秒時）、ＣＣＤ４０のＩＳＯ値（撮像感度）を入力するための釦群（図示せず）を有している。
【００２８】
測光部５６は、撮影前に、被写体の輝度を測定し、ＣＰＵ４８に伝達する。
レリーズ釦５２は、オンされたとき、ＣＰＵ４８に撮影を指令する。
ＣＰＵ４８は、測光部５６から伝達される被写体の輝度から、適正な絞り値、露光時間を求める。ＣＰＵ４８は、ＣＣＤ４０の出力のゲインを調節することで、撮像感度を調節する。ＣＰＵ４８は、これら絞り値、露光時間、撮像感度を通信端子５８を介して電子閃光装置１６側に伝達する。また、ＣＰＵ４８は、距離測定部２２から伝達される測定距離及び焦点距離を通信端子５８を介して電子閃光装置１６側に伝達する。
【００２９】
電子閃光装置１６は、発光部６４と、センサ６６と、閃光制御装置１４とを有しており、単発発光モードまたはＦＰ発光モードに切り替え可能である。
発光部６４は、図示しない昇圧部と、コンデンサと、キセノン管とを有している。昇圧部は、図示しない電源から供給される電圧を昇圧し、昇圧した電圧をコンデンサに充電する。発光部６４は、充電されたコンデンサからキセノン管に電流を供給することで、キセノン管に発光させる。なお、発光部６４は、閃光制御装置１４の指令に応じて、閃光の配光角をアクチュエータ（図示せず）により調節する。
【００３０】
センサ６６は、発光部６４の閃光発光時に発光強度を測定し、測定した発光強度を閃光制御装置１４に出力する。
閃光制御装置１４は、表示部７０と、設定部７２と、演算部７４と、シュー接点７６と、発光制御部７８とを有している。
設定部７２は、撮影距離を入力するための操作釦群（図示せず）を有している。設定部７２は、撮影距離と、ＣＰＵ４８から伝達される絞り値、撮像感度、露光時間、焦点距離を表示部７０に伝達する。
【００３１】
表示部７０は、撮影距離、絞り値、撮像感度、露光時間、焦点距離を表示する。また、表示部７０は、演算部７４の指令に応じて、後述する推奨撮影距離を表示する。
シュー接点７６は、カメラ１２の通信端子５８に接続される。シュー接点７６は、演算部７４及び設定部７２と、ＣＰＵ４８とのデータ交信を行う接点として機能する。
【００３２】
発光制御部７８は、演算部７４の指令に応じて、発光部６４を単発発光モードとＦＰ発光モードのいずれかに設定する。発光制御部７８は、演算部７４から画角を伝達される。発光制御部７８は、発光部６４の配光角が画角よりわずかに大きくなるように、発光部６４に指令する。本実施形態では、この配光角により、単位立体角当たりの照射可能な光量範囲、即ち、発光部６４の最大発光強度及び最小発光強度が決定される。
【００３３】
演算部７４は、ＣＰＵ４８から伝達される焦点距離により求まる画角に応じて、発光部６４の最大発光強度及び最小発光強度を、単発発光の場合とＦＰ発光の場合とで別々に求める。演算部７４は、ＣＰＵ４８から伝達される撮影距離、絞り値、撮像感度、露光時間に応じて、単発発光の場合とＦＰ発光の場合とで別々の方法で、適正発光強度を求める。
【００３４】
まず、単発発光の場合について説明する。本実施形態の電子閃光装置１６の発光部６４は小型であるため、発光部６４をほぼ点光源と考えることができる。このため、本実施形態の電子閃光装置１６では、単発発光での適正発光強度（以降、適正単発発光強度Ｉｄと記載）は、次式で表される。
【数１】
2004085885.tif 000003
上式で、Ｃは定数、Ｄは撮影距離、Ｆは絞り値、Ｓは撮像感度（ＩＳＯ値）である。ここで、上式の両辺の２の対数をとれば、
【数２】
2004085885.tif 000004
が成り立つ。上式で、適正単発発光強度Ｉｄの２の対数をＩｄｖ、定数Ｃの２の対数をＣｖ、撮影距離Ｄの√２の対数をＤｖ、絞り値Ｆの√２の対数をＦｖ、撮像感度Ｓの２の対数をＳｖとすれば、次式が成り立つ。
【００３５】
Ｉｄｖ＝Ｃｖ＋Ｄｖ＋Ｆｖ−Ｓｖ　　（３）
演算部７４は、（３）式を用いて適正単発発光強度Ｉｄを求める。また、（３）式は、後述する推奨撮像感度、推奨絞り値、推奨露光時間を求める演算にも用いられる。
【００３６】
次に、ＦＰ発光の場合について説明する。露光時間をＴとすれば、ＦＰ発光での適正発光強度（以降、適正ＦＰ発光強度Ｉｆｐと記載）は、一般に、次式で表される。
【数３】
2004085885.tif 000005
上式で、Ｂは定数である。ここで、上式の両辺の２の対数をとれば、
【数４】
2004085885.tif 000006
が成り立つ。上式で、適正ＦＰ発光強度Ｉｆｐの２の対数をＩｆｐｖ、定数Ｂの２の対数をＢｖ、露光時間Ｔの逆数の２の対数をＴｖとすれば、次式が成り立つ。
【００３７】
Ｉｆｐｖ＝Ｂｖ＋Ｄｖ＋Ｆｖ−Ｓｖ＋Ｔｖ　　（６）
演算部７４は、（６）式を用いて適正ＦＰ発光強度Ｉｆｐを求める。また、（６）式は、後述する推奨撮像感度、推奨絞り値、推奨露光時間を求める演算にも用いられる。なお、撮影距離が入力されない場合、演算部７４は、ＣＰＵ４８から伝達される測定距離を撮影距離の代わりに用いる。
【００３８】
図２は、単発発光の発光強度の時間変化の一例を示している。発光制御部７８は、単発発光を実施させる場合、フォーカルプレーンシャッタ３８の全開に同期して、カメラ１２のＣＰＵ４８から、演算部７４を介して発光起動信号を受ける。これに同期して、発光制御部７８は、発光部６４に発光開始を指令（図２の時刻ｔ１）する。発光制御部７８は、同時に、センサ６６の出力を時間積分する。
発光制御部７８は、センサ６６の出力の時間積分値が目標値に達した時点（図２の時刻ｔ２）で、発光部６４に発光停止を指令する。
【００３９】
図３は、ＦＰ発光の発光強度の時間変化の一例を示している。発光制御部７８は、ＦＰ発光を実施させる場合、単位時間あたりの発光強度が、発光中において常に一定になるように制御する。具体的には、発光制御部７８は、センサ６６の出力が上限値に達したらコンデンサからキセノン管への電流注入を停止させて発光強度を下げ、センサ６６の出力が下限値に達したらコンデンサからの電流注入を再び開始させて発光強度を上げる。このとき、発光強度が上限値から下限値に下がり、再び上限値に上がる周期は、フォーカルプレーンシャッタ３８の最短シャッタ秒時より十分短い。このため、ＣＣＤ４０の受光面は、全シャッタ時間中、均一な光量で露光される。また、発光制御部７８は、一定強度で発光している期間（図３の時刻ｔ２からｔ３まで）に全シャッタ時間が含まれるように、発光部６４を制御する。
【００４０】
《撮影の動作説明》
図４は、本実施形態の撮影システム１０の、動作の流れ図の導入部分を示している。図５は、図４に示した処理の最後で、発光部６４が単発発光モードに設定された後の処理を説明する流れ図である。図６は、図４に示した処理の最後で、発光部６４がＦＰ発光モードに設定された後の処理を説明する流れ図である。図７は、撮影システム１０の動作の流れ図の最終部分を示している。以下、図４〜図７に示すステップ番号に従って、撮影システム１０の制御を説明する。なお、以下の制御は、一例として、最大発光強度は単発発光の方がＦＰ発光より大きく、最小発光強度はＦＰ発光の方が単発発光より小さい場合に対応している。
【００４１】
［ステップ１］
カメラ１２及び電子閃光装置１６の電源はオンされている。ユーザは、露出設定部５０を操作することで、カメラ１２を自動露出モード、絞り値優先モード、シャッタ秒時優先モード、マニュアル露出モードのいずれかに設定する。また、ユーザは、被写体にピントを合わせ、撮影レンズ２４の焦点距離（画角）を調節する。そして、ステップ２に進む。
【００４２】
［ステップ２］
ユーザが撮影距離を設定部７２に入力した場合、演算部７４は、この撮影距離を設定部７２から伝達される。表示部７０は、入力された撮影距離を表示する。そして、ステップ４に進む。撮影距離が入力されない場合、ステップ３に進む。
【００４３】
［ステップ３］
距離測定部２２は、被写体と撮影レンズ２４との距離を測定距離として検出する。距離測定部２２は、測定距離及び焦点距離をＣＰＵ４８に出力する。ＣＰＵ４８は、測定距離及び焦点距離を、演算部７４及び設定部７２に伝達する。演算部７４及び設定部７２は、撮影距離の設定値を、伝達される測定距離と同じ値にする。表示部７０は、この測定距離を撮影距離として表示する。そして、ステップ８に進む。
【００４４】
［ステップ４］
距離測定部２２は、ピントの合っている被写体と撮影レンズ２４との距離を測定距離として検出する。距離測定部２２は、測定距離及び焦点距離をＣＰＵ４８に出力する。ＣＰＵ４８は、測定距離及び焦点距離を演算部７４に伝達し、焦点距離を設定部７２に伝達する。演算部７４は、伝達された焦点距離から画角を求める。そして、ステップ５に進む。
【００４５】
［ステップ５］
演算部７４は、入力された撮影距離と測定距離との差が許容範囲内であるか否かを判定（判断）する。ここでの「許容範囲内である」は、露出上、支障のない範囲で異なっていてもよい。撮影距離と測定距離との差が許容範囲内の場合、図４のステップ８に進み、そうでない場合、ステップ６に進む。
【００４６】
［ステップ６］
演算部７４は、表示部７０に測定距離を伝達する。表示部７０は、例えば、撮影距離と共に測定距離を点滅表示させることで、入力された撮影距離と、カメラ１２が測定した距離とが大きく異なることをユーザに警告する。次に、設定部７２は、表示部７０を撮影距離の入力可能な画面に切り替えることで、ユーザに撮影距離の再入力を問う。そして、ステップ７に進む。
【００４７】
［ステップ７］
ユーザが撮影距離の再入力を選択した場合、ステップ２に戻る。ユーザが再入力を選択しない場合、表示部７０は、測定距離の表示を消す。そして、ステップ８に進む。
［ステップ８］
測光部５６は、被写体の輝度を測定し、ＣＰＵ４８に伝達する。
【００４８】
カメラ１２が自動露出モードの場合、ＣＰＵ４８は、被写体の輝度に応じて、絞り値と露光時間とを適正値に設定する。
カメラ１２が絞り値優先モードの場合、ＣＰＵ４８は、ユーザが露出設定部５０に入力する絞り値と、被写体の輝度とに応じて、露光時間を適正値に設定する。
カメラ１２がシャッタ秒時優先モードの場合、ＣＰＵ４８は、ユーザが露出設定部５０に入力する露光時間と、被写体の輝度とに応じて、絞り値を適正値に設定する。
【００４９】
カメラ１２がマニュアル露出モードの場合、ＣＰＵ４８は、ユーザが露出設定部５０に入力する値に、絞り値と露光時間とＩＳＯ値とを設定する。
そして、ステップ９に進む。なお、測光部５６は、レリーズ釦５２が全押しされるまで（後述するステップ４８）、被写体の輝度を測定し続ける。
［ステップ９］
ＣＰＵ４８は、絞り値と、撮像感度と、露光時間とを設定部７２に伝達する。
表示部７０は、絞り値と、撮像感度と、露光時間とを設定部７２から伝達され、これらの値を表示する。また、ＣＰＵ４８は、絞り値と、撮像感度と、露光時間と、Ｘ秒時とを演算部７４に伝達する。ここで、Ｘ秒時は、例えば、シャッタ（この例ではフォーカルプレーンシャッタ３８）の全開を十分に保証できる露光時間の最短値である。そして、ステップ１０に進む。
【００５０】
［ステップ１０］
Ｘ秒時より露光時間が長い場合、演算部７４は、発光部６４を単発発光モードにするように発光制御部７８に指令する。そして、ステップ１１に進む。露光時間がＸ秒時以下の場合、演算部７４は、発光部６４をＦＰ発光モードにするように発光制御部７８に指令する。そして、ステップ２９に進む。
【００５１】
［ステップ１１］
演算部７４は、前述した（３）式を用いて、適正単発発光強度Ｉｄを求める。そして、ステップ１２に進む。
［ステップ１２］
演算部７４は、画角に応じて、発光部６４の単発発光での最大発光強度（以降、最大単発発光強度Ｉｄｍａｘと記載）、及び最小発光強度（以降、最小単発発光強度Ｉｄｍｉｎと記載）を求める。適正単発発光強度Ｉｄが、最大単発発光強度Ｉｄｍａｘ以下である場合（演算部７４が判定）、ステップ２０に進む。適正単発発光強度Ｉｄが、最大単発発光強度Ｉｄｍａｘより大きい場合、ステップ１３に進む。
【００５２】
［ステップ１３］
演算部７４は、適正単発発光強度Ｉｄを最大単発発光強度Ｉｄｍａｘに等しくする撮影距離を推奨撮影距離として求める。この推奨撮影距離は、表示部７０に表示されている撮影距離より短くなる。表示部７０は、例えば、撮影距離と共に推奨撮影距離を点滅表示することで、撮影距離の値が大きすぎることをユーザに警告する。そして、ステップ１４に進む。
【００５３】
［ステップ１４］
演算部７４は、ＣＰＵ４８と交信して、撮像感度の増大が可能か否かを判定（判断）する。撮像感度を増大できない場合、ステップ１６に進む。撮像感度を増大できる場合、ステップ１５に進む。
［ステップ１５］
演算部７４は、適正単発発光強度Ｉｄを最大単発発光強度Ｉｄｍａｘに等しくする撮像感度を推奨撮像感度として求める。演算部７４は、撮像感度を推奨撮像感度に高めるように、ＣＰＵ４８に指令する。ＣＰＵ４８は、演算部７４の指令に従って、撮像感度を変更する。演算部７４及び設定部７２は、撮像感度の設定値を推奨撮像感度に変更する。表示部７０は、撮像感度の表示値を、推奨撮像感度に変更するとともに、推奨撮影距離の表示を消す。そして、図７のステップ４３に進む。
【００５４】
［ステップ１６］
演算部７４は、ＣＰＵ４８と交信して、絞り値の低減と露光時間の短縮が共に可能か否かを判定（判断）する。双方の少なくともいずれかが不可能な場合、ステップ１８に進む。双方が共に可能な場合、ステップ１７に進む。
［ステップ１７］
演算部７４は、適正単発発光強度Ｉｄを最大単発発光強度Ｉｄｍａｘに等しくする絞り値を、推奨絞り値として求める。この推奨絞り値は、設定されている絞り値より小さくなる。同時に、演算部７４は、絞り値を推奨絞り値に変更しても次式で表される露出値Ｅｖが変わらないようにする露光時間を、推奨露光時間として求める。
【数５】
2004085885.tif 000007
この推奨露光時間は、設定されている露光時間より短くなる。演算部７４は、絞り値を推奨絞り値に下げ、露光時間を推奨露光時間に短くするように、ＣＰＵ４８に指令する。ＣＰＵ４８は、演算部７４の指令に従って、絞り値、露光時間を変更する。演算部７４は、適正単発発光強度Ｉｄを最大単発発光強度Ｉｄｍａｘと等しい値に変更する。演算部７４は、変更後の絞り値、露光時間を設定部７２に伝達する。表示部７０は、絞り値の表示値を推奨絞り値に変更し、露光時間の表示値を推奨露光時間に変更し、推奨撮影距離の表示を消す。そして、図７のステップ４３に進む。
【００５５】
［ステップ１８］
表示部７０には、既に（ステップ１３から）、推奨撮影距離が表示されている。設定部７２は、表示部７０を撮影距離の入力可能な画面に切り替えることで、ユーザに撮影距離の再入力を問う。ユーザが撮影距離の再入力を選択した場合、図４のステップ２に戻る。ユーザが再入力を選択しない場合、ステップ１９に進む。
【００５６】
［ステップ１９］
演算部７４及び設定部７２は、撮影距離の設定値を推奨撮影距離に変更する。表示部７０は、推奨撮影距離の表示を消すと共に、撮影距離の表示値を推奨撮影距離に変更する。演算部７４は、適正単発発光強度Ｉｄを最大単発発光強度Ｉｄｍａｘと等しい値に変更する。そして、図７のステップ４３に進む。なお、ユーザは、適正露光量の写真を得るためには、実際の撮影距離が新たに表示部７０に表示される値に近くなるように、移動する必要がある。
【００５７】
［ステップ２０］
適正単発発光強度Ｉｄが、最小単発発光強度Ｉｄｍｉｎ以上である場合（演算部７４が判定）、図７のステップ４３に進む。適正単発発光強度Ｉｄが、最小単発発光強度Ｉｄｍｉｎより小さい場合、ステップ２１に進む。
［ステップ２１］
演算部７４は、ＣＰＵ４８と交信して、絞り値の低減が可能か否かを判定（判断）する。絞り値の低減が不可能な場合、ステップ２３に進む。絞り値の低減が可能な場合、ステップ２２に進む。
【００５８】
［ステップ２２］
演算部７４は、Ｘ秒時以下の露光時間を推奨露光時間として設定する。同時に、演算部７４は、露光時間を推奨露光時間に変更しても（７）式に示した露出値Ｅｖが変わらないようにする絞り値を、推奨絞り値として求める。演算部７４は、露光時間、絞り値を推奨露光時間、推奨絞り値に変更するように、ＣＰＵ４８に指令する。ＣＰＵ４８は、演算部７４の指令に従って、露光時間、絞り値を変更する。演算部７４及び設定部７２は、絞り値、露光時間の設定値を推奨露光時間、推奨絞り値に変更する。表示部７０は、絞り値及び露光時間の表示値を、推奨露光時間、推奨絞り値に変更する。発光制御部７８は、発光部６４をＦＰ発光モードに切り替える。そして、図６のステップ２９に進む。
【００５９】
［ステップ２３］
演算部７４は、ＣＰＵ４８と交信して、絞り値の増大と露光時間の増大が共に可能か否かを判定（判断）する。絞り値の増大及び露光時間の増大の少なくともいずれかが不可能な場合、ステップ２５に進む。双方が共に可能な場合、ステップ２４に進む。
【００６０】
［ステップ２４］
演算部７４は、適正単発発光強度Ｉｄを最小単発発光強度Ｉｄｍｉｎに等しくする絞り値を推奨絞り値として求める。この推奨絞り値は、表示部７０に表示されている絞り値より大きくなる。同時に、演算部７４は、絞り値を推奨絞り値に変更しても（７）式に示した露出値Ｅｖが変わらないようにする露光時間を、推奨露光時間として求める。この推奨露光時間は、設定されている露光時間より長くなる。演算部７４は、露光時間、絞り値を推奨露光時間、推奨絞り値に変更するように、ＣＰＵ４８に指令する。ＣＰＵ４８は、演算部７４の指令に従って、露光時間、絞り値を変更する。演算部７４は、適正単発発光強度Ｉｄを最小単発発光強度Ｉｄｍｉｎと等しい値に変更する。演算部７４及び設定部７２は、絞り値、露光時間の設定値を推奨露光時間、推奨絞り値に変更する。表示部７０は、絞り値及び露光時間の表示値を、推奨露光時間、推奨絞り値に変更する。そして、図７のステップ４３に進む。
【００６１】
［ステップ２５］
演算部７４は、ＣＰＵ４８と交信して、撮像感度の低減が可能か否かを判定（判断）する。撮像感度を低減できない場合、ステップ２７に進み、低減できる場合、ステップ２６に進む。
［ステップ２６］
演算部７４は、適正単発発光強度Ｉｄを最小単発発光強度Ｉｄｍｉｎに等しくする撮像感度を推奨撮像感度として求める。演算部７４は、撮像感度を推奨撮像感度に下げるように、ＣＰＵ４８に指令する。ＣＰＵ４８は、演算部７４の指令に従って、撮像感度を変更する。演算部７４は、適正単発発光強度Ｉｄを最小単発発光強度Ｉｄｍｉｎと等しい値に変更する。演算部７４及び設定部７２は、撮像感度の設定値を推奨撮像感度に変更する。表示部７０は、撮像感度の表示値を、推奨撮像感度に変更するとともに、推奨撮影距離の表示を消す。そして、図７のステップ４３に進む。
【００６２】
［ステップ２７］
演算部７４は、適正単発発光強度Ｉｄを最小単発発光強度Ｉｄｍｉｎに等しくする撮影距離を推奨撮影距離として求める。この推奨撮影距離は、表示部７０に表示されている撮影距離より長くなる。表示部７０は、例えば、撮影距離と共に推奨撮影距離を点滅表示することで、撮影距離の値が小さすぎることをユーザに警告する。設定部７２は、表示部７０を撮影距離の入力可能な画面に切り替えることで、ユーザに撮影距離の再入力を問う。ユーザが撮影距離の再入力を選択した場合、図４のステップ２に戻る。ユーザが再入力を選択しない場合、ステップ２８に進む。
【００６３】
［ステップ２８］
演算部７４及び設定部７２は、撮影距離の設定値を推奨撮影距離に変更する。表示部７０は、推奨撮影距離の表示を消すと共に、撮影距離の表示値を推奨撮影距離に変更する。演算部７４は、適正単発発光強度Ｉｄを最小単発発光強度Ｉｄｍｉｎと等しい値に変更する。なお、ユーザは、適正露光量の写真を得るためには、実際の撮影距離が新たに表示部７０に表示される値に近くなるように、移動する必要がある。そして、図７のステップ４３に進む。
【００６４】
［ステップ２９］
図４のステップ１０で、露光時間がＸ秒以下の場合の処理である。演算部７４は、前述した（６）式を用いて、適正ＦＰ発光強度Ｉｆｐを求める。そして、ステップ３０に進む。
【００６５】
［ステップ３０］
演算部７４は、画角に応じて、発光部６４のＦＰ発光での最大発光強度（以降、最大ＦＰ発光強度Ｉｆｐｍａｘと記載）、及び最小発光強度（以降、最小ＦＰ発光強度Ｉｆｐｍｉｎと記載）を求める。適正ＦＰ発光強度Ｉｆｐが、最小ＦＰ発光強度Ｉｆｐｍｉｎ以上である場合（演算部７４が判定）、ステップ３６に進む。適正ＦＰ発光強度Ｉｆｐが、最小ＦＰ発光強度Ｉｆｐｍｉｎより小さい場合、ステップ３１に進む。
【００６６】
［ステップ３１］
演算部７４は、適正ＦＰ発光強度Ｉｆｐを最小ＦＰ発光強度Ｉｆｐｍｉｎに等しくする撮影距離を推奨撮影距離として求める。この推奨撮影距離は、表示部７０に表示されている撮影距離より長くなる。表示部７０は、例えば、撮影距離と共に推奨撮影距離を点滅表示することで、撮影距離の値が小さすぎることユーザに警告する。そして、ステップ３２に進む。
【００６７】
［ステップ３２］
演算部７４は、ＣＰＵ４８と交信して、撮像感度の低減が可能か否かを判定（判断）する。撮像感度を低減できない場合、ステップ３４に進み、低減できる場合、ステップ３３に進む。
［ステップ３３］
演算部７４は、適正ＦＰ発光強度Ｉｆｐを最小ＦＰ発光強度Ｉｆｐｍｉｎに等しくする撮像感度を推奨撮像感度として求める。演算部７４は、撮像感度を推奨撮像感度に下げるように、ＣＰＵ４８に指令する。ＣＰＵ４８は、演算部７４の指令に従って、撮像感度を変更する。演算部７４は、適正ＦＰ発光強度Ｉｆｐを、最小ＦＰ発光強度Ｉｆｐｍｉｎと等しい値に変更する。演算部７４及び設定部７２は、撮像感度の設定値を推奨撮像感度に変更する。表示部７０は、撮像感度の表示値を、推奨撮像感度に変更するとともに、推奨撮影距離の表示を消す。そして、図７のステップ４３に進む。
【００６８】
［ステップ３４］
表示部７０には、ステップ３１から、推奨撮影距離が表示されている。設定部７２は、表示部７０を撮影距離の入力可能な画面に切り替えることで、ユーザに撮影距離の再入力を問う。ユーザが撮影距離を再入力する場合、図４のステップ２に戻り、再入力しない場合、ステップ３５に進む。
【００６９】
［ステップ３５］
演算部７４及び設定部７２は、撮影距離の設定値を推奨撮影距離に変更する。表示部７０は、推奨撮影距離の表示を消すと共に、撮影距離の表示値を推奨撮影距離に変更する。演算部７４は、適正ＦＰ発光強度Ｉｆｐを最小ＦＰ発光強度Ｉｆｐｍｉｎと等しい値に変更し、変更後の適正ＦＰ発光強度Ｉｆｐを発光制御部７８に伝達する。なお、ユーザは、適正露光量の写真を得るためには、実際の撮影距離が新たに表示部７０に表示される値に近くなるように、移動する必要がある。そして、図７のステップ４３に進む。
【００７０】
［ステップ３６］
適正ＦＰ発光強度Ｉｆｐが、最大ＦＰ発光強度Ｉｆｐｍａｘ以下である場合（演算部７４が判定）、図７のステップ４３に進む。適正ＦＰ発光強度Ｉｆｐが、最大ＦＰ発光強度Ｉｆｐｍａｘより大きい場合、ステップ３７に進む。
［ステップ３７］
演算部７４は、ＣＰＵ４８と交信して、絞り値の増大が可能か否かを判定（判断）する。絞り値の増大が不可能な場合、ステップ３９に進む。絞り値の増大が可能な場合、ステップ３８に進む。
【００７１】
［ステップ３８］
演算部７４は、Ｘ秒時以上の露光時間を推奨露光時間として設定する。同時に、演算部７４は、露光時間を推奨露光時間に変更しても（７）式に示した露出値Ｅｖが変わらないようにする絞り値を、推奨絞り値として求める。この推奨絞り値は、設定されている絞り値より大きくなる。演算部７４は、露光時間、絞り値を推奨露光時間、推奨絞り値に変更するように、ＣＰＵ４８に指令する。ＣＰＵ４８は、演算部７４の指令に従って、露光時間、絞り値を変更する。演算部７４及び設定部７２は、絞り値、露光時間の設定値を推奨露光時間、推奨絞り値に変更する。表示部７０は、絞り値及び露光時間の表示値を、推奨絞り値及び推奨露光時間に変更する。発光制御部７８は、発光部６４を単発発光モードに切り替える。そして、図５のステップ１１に戻る。
【００７２】
［ステップ３９］
演算部７４は、ＣＰＵ４８と交信して、撮像感度の増大が可能か否かを判定（判断）する。撮像感度を増大できない場合、ステップ３９に進み、増大できる場合、ステップ４０に進む。
［ステップ４０］
演算部７４は、適正ＦＰ発光強度Ｉｆｐを最大ＦＰ発光強度Ｉｆｐｍａｘに等しくする撮像感度を推奨撮像感度として求める。演算部７４は、撮像感度を推奨撮像感度に高めるように、ＣＰＵ４８に指令する。ＣＰＵ４８は、演算部７４の指令に従って、撮像感度を変更する。演算部７４は、適正ＦＰ発光強度Ｉｆｐを、最大ＦＰ発光強度Ｉｆｐｍａｘと等しい値に変更する。演算部７４及び設定部７２は、撮像感度の設定値を推奨撮像感度に変更する。表示部７０は、撮像感度の表示値を、推奨撮像感度に変更する。そして、図７のステップ４３に進む。
【００７３】
［ステップ４１］
演算部７４は、適正ＦＰ発光強度Ｉｆｐを最大ＦＰ発光強度Ｉｆｐｍａｘに等しくする撮影距離を推奨撮影距離として求める。この推奨撮影距離は、表示部７０に表示されている撮影距離より短くなる。表示部７０は、例えば、撮影距離と共に推奨撮影距離を点滅表示することで、撮影距離の値が大きすぎることユーザに警告する。設定部７２は、表示部７０を撮影距離の入力可能な画面に切り替えることで、ユーザに撮影距離の再入力を問う。ユーザが撮影距離を再入力する場合、図４のステップ２に戻り、再入力しない場合、ステップ４２に進む。
【００７４】
［ステップ４２］
演算部７４及び設定部７２は、撮影距離の設定値を推奨撮影距離に変更する。表示部７０は、推奨撮影距離の表示を消すと共に、撮影距離の表示値を推奨撮影距離に変更する。演算部７４は、適正ＦＰ発光強度Ｉｆｐを最大ＦＰ発光強度Ｉｆｐｍａｘと等しい値に変更する。そして、図７のステップ４３に進む。なお、ユーザは、適正露光量の写真を得るためには、実際の撮影距離が新たに表示部７０に表示される値に近くなるように、移動する必要がある。
【００７５】
［ステップ４３］
被写体の輝度が変化した場合、測光部５６は、被写体輝度の最新値をＣＰＵ４８に伝達する。そして、ＣＰＵ４８が求める絞り値の適正値及び露光時間の適正値の少なくともいずれかが変化した場合、ステップ４４に進む。ＣＰＵ４８が求める絞り値の適正値及び露光時間の適正値が共に変更されない場合、ステップ４７へ進む。
【００７６】
［ステップ４４］
ＣＰＵ４８は、演算部７４及び設定部７２に、絞り値の適正値及び露光時間の適正値が変化したことを伝達する。これに同期して、設定部７２は、例えば、”被写体輝度変化”と表示部７０に点滅表示させることで、絞り値の適正値及び露光時間の適正値が変化したことをユーザに警告する。そして、ステップ４５に進む。
【００７７】
［ステップ４５］
ユーザが撮影条件を再設定する場合、図４のステップ２に戻る。ユーザが撮影条件を再設定しない場合、ステップ４６に進む。
［ステップ４６］
ＣＰＵ４８は自動露出モードに切り替わる。そして、図４のステップ３に戻る。
【００７８】
［ステップ４７］
以下の３つの場合に分けて処理が行われる。
（１）発光部６４が単発発光モードで、画角（焦点距離）が変更された場合
距離測定部２２は、変更後の焦点距離を、ＣＰＵ４８を介して演算部７４に伝達する。演算部７４は、変更後の焦点距離から、画角、最大単発発光強度Ｉｄｍａｘ、及び最小単発発光強度Ｉｄｍｉｎを新たに求める。そして、図５のステップ１２に戻る。
【００７９】
（２）発光部６４がＦＰ発光モードで、画角（焦点距離）が変更された場合
距離測定部２２は、変更後の焦点距離を、ＣＰＵ４８を介して演算部７４に伝達する。演算部７４は、変更後の焦点距離から、画角、最大ＦＰ発光強度Ｉｆｐｍａｘ、及び最小ＦＰ発光強度Ｉｆｐｍｉｎを新たに求める。そして、図６のステップ３０に戻る。
【００８０】
（３）画角が変更されない場合
演算部７４は、発光制御部７８に画角を伝達する。また、演算部７４は、発光部６４が単発発光モードに設定されていれば、適正単発発光強度Ｉｄを発光制御部７８に伝達し、発光部６４がＦＰ発光モードに設定されていれば、適正ＦＰ発光強度Ｉｆｐを発光制御部７８に伝達する。発光制御部７８は、発光部６４の配光角が画角よりわずかに大きくなるように、発光部６４に指令する。そして、ステップ４８に進む。
【００８１】
［ステップ４８］
レリーズ釦５２が全押しされた場合、ステップ４９に進む。レリーズ釦５２の押圧が解除された場合、ステップ２に戻る。
［ステップ４９］
ＣＰＵ４８は、設定された露光時間で、フォーカルプレーンシャッタ３８を動作させ、ＣＣＤ４０に露光する。発光制御部７８は、ＣＰＵ４８から演算部７４を介して受ける発光起動信号に応答して、露光時間に同期して発光するように、発光部６４に指令する。発光部６４は、単発発光モードに設定されていれば適正単発発光強度Ｉｄで単発発光し、ＦＰ発光モードに設定されていれば適正ＦＰ発光強度ＩｆｐでＦＰ発光する。この後、画像処理部４２は、ＣＣＤ４０から電荷を読み出し、画像データを生成する。記録部４４は、生成された画像データをフラッシュメモリに記録する（撮影終了）。
【００８２】
《表示部の表示例》
以下、表示部７０の表示例を説明する。なお、以下に示す数値は一例であり、本発明を限定するものではない。また、Ｘ秒時は１／２５０秒であり、ＩＳＯ値は２５〜４００の間で変更できるものとする。
図８は、表示部７０の表示例を示している。図８（ａ）は、上述したステップ１、２、８、９で撮影距離２０メートル、絞り値４、露光時間１／５００秒、ＩＳＯ値（撮像感度）２００、焦点距離３５ミリメートルに設定された場合を示している。
【００８３】
この後、発光部６４はＦＰ発光モードに設定され、ステップ２９で演算される適正ＦＰ発光強度Ｉｆｐが、最大ＦＰ発光強度Ｉｆｐｍａｘより大きくなったとする。この場合、ステップ３８の処理が行われ、表示部７０は、例えば、絞り値及び露光時間の表示値を、推奨絞り値５．６及び推奨露光時間１／２５０秒に変更する（図８（ｂ））。発光制御部７８は、発光部６４を単発発光モードに切り替える。
【００８４】
この後、ステップ１１で演算される適正単発発光強度Ｉｄが、最大単発発光強度Ｉｄｍａｘより大きくなったとする。この場合、ステップ１３の処理が行われ、表示部７０は、推奨撮影距離１４メートルを点滅表示する（図８（ｃ））。
この後、ステップ１４の処理が行われる。ＩＳＯ値を４００に高めることで、適正単発発光強度Ｉｄは最大単発発光強度Ｉｄｍａｘに等しくなるとする。この場合、表示部７０は、ステップ１５の処理に従って、撮像感度の表示値を変更し、推奨撮影距離の表示を消す（図８（ｄ））。
【００８５】
図９は、表示部７０の別の表示例を示している。図９（ａ）は、上述したステップ２で撮影距離０．５メートルが入力され、ステップ４で測定距離２メートルが演算部７４に伝達された後の警告表示を示している（ステップ６）。図９（ｂ）は、この後、撮影距離は変更されず、ステップ８、９で絞り値２、露光時間１／１２５秒、ＩＳＯ値５０、焦点距離３５ミリメートルに設定された場合を示している。
【００８６】
この後、発光部６４は単発発光モードに設定され、ステップ１１で演算される適正単発発光強度Ｉｄが、最小単発発光強度Ｉｄｍｉｎより小さくなったとする。この場合、ステップ２１、２２の処理が行われ、表示部７０は、絞り値及び露光時間の表示値を、例えば、推奨絞り値１及び推奨露光時間１／５００秒に変更する（図９（ｃ））。発光制御部７８は、発光部６４をＦＰ発光モードに切り替える。
【００８７】
この後、ステップ２９で演算される適正ＦＰ発光強度Ｉｆｐが、最小ＦＰ発光強度Ｉｆｐｍｉｎより小さくなったとする。この場合、ステップ３１の処理が行われ、表示部７０は、推奨撮影距離０．７メートルを点滅表示する（図９（ｄ））。
ここで、ＩＳＯ値を２５に下げることで、適正ＦＰ発光強度Ｉｆｐは、最小ＦＰ発光強度Ｉｆｐｍｉｎまで高まるとする。この場合、ステップ３３の処理が行われ、表示部７０は、撮像感度の表示値を変更し、推奨撮影距離の表示を消す（図９（ｅ））。
【００８８】
この後、被写体輝度の変化により、ＣＰＵ４８が求める絞り値及び露光時間の適正値が変更された場合、ステップ４４の処理が行われる。表示部７０は、”被写体輝度変化”と点滅表示することで、ユーザに警告する（図９（ｆ））。
なお、本実施形態では、適正発光強度及び発光モードは表示されない。これは、表示される情報が多すぎるために、ユーザがどのパラメータを見ればよいか迷うおそれを小さくするためである。
【００８９】
《請求項との対応関係》
以下、請求項と本発明との対応関係を説明する。なお、以下に示す対応関係は、参考のために示した一解釈であり、本発明を限定するものではない。
請求項記載の修正値は、推奨撮影距離と、推奨撮像感度と、推奨絞り値と、推奨露光時間とに対応している。
【００９０】
請求項５は、ステップ３８の処理に対応している。
請求項記載の絞り値低減動作は、ステップ１７の処理に対応している。
請求項記載の撮像感度増大動作は、ステップ１５の処理に対応している。
請求項７は、ステップ２２の処理に対応している。
請求項記載の撮像感度低減動作は、ステップ３３の処理に対応している。
【００９１】
請求項記載の、測定距離と撮影距離とが大きく異なる場合の警告は、ステップ６の処理に対応している。
請求項１０は、ステップ３の処理に対応している。
請求項記載の推奨撮影距離をユーザに知らせる手段は、ステップ１３、３１の処理に対応している。
【００９２】
請求項記載の「配光角が変化した場合の推奨撮影距離の表示」は、ステップ４７、１２、１３の順に処理された場合、ステップ４７、１２、２０、２１、２３、２５、２７の順に処理された場合、ステップ４７、３０、３１の順に処理された場合、及びステップ４７、３０、３６、３７、３９、４１の順に処理された場合に対応している。
【００９３】
請求項記載の「絞り値または露光時間が変化した場合における推奨撮影距離の表示」は、ステップ４３を介して撮影条件が再設定された後、上述の配光角変化に伴う推奨撮影距離の表示に至る処理に対応している。
【００９４】
請求項記載の撮像部は、撮影レンズ２４、絞り２６、フォーカルプレーンシャッタ３８、ＣＣＤ４０、画像処理部４２、及びＣＰＵ４８に対応している。
《本実施形態の効果》
従来の電子閃光装置では、ユーザに発光強度を選択させ、露光時間に応じて単発発光またはＦＰ発光モードに自動的に設定し、選択された発光強度に応じた適正撮影距離を表示していた。このため、被写体輝度変化等による露光時間の変化に伴って発光モードが自動的に切り替わった場合、表示される適正撮影距離が変化していた。
【００９５】
そこで、本実施形態では、ユーザに撮影距離を入力させ、カメラ側から取得する露光時間に応じて単発発光モードまたはＦＰ発光モードに自動的に設定した。
そして、撮影距離、露光時間及びカメラ側から取得する絞り値、撮像感度に応じて、設定された発光モードでの適正発光強度を求めた。このため、単発発光、ＦＰ発光、１／２発光等に関する知識のない初心者でも、適正露光量を与える発光強度に容易に設定できる。
【００９６】
また、最大発光強度は単発発光の方がＦＰ発光より大きく、最小発光強度はＦＰ発光の方が単発発光より小さい場合の、発光モードの適切な切替方法を提案した。即ち、適正単発発光強度Ｉｄが最小単発発光強度Ｉｄｍｉｎより小さい場合、演算部７４は、ＦＰ発光モードに切り替えるように制御した。これは、単発発光での適正発光強度が発光可能範囲より小さくても、ＦＰ発光での適正発光強度は、発光可能範囲内に収まる可能性があるからである。同様に、適正ＦＰ発光強度Ｉｆｐが最大ＦＰ発光強度Ｉｆｐｍａｘより大きい場合、演算部７４は、露光時間をＸ秒時以上にし、単発発光モードに切り替えるように制御した。これは、ＦＰ発光での適正発光強度が発光可能範囲より大きくても、単発発光での適正発光強度は、発光可能範囲内に収まる可能性があるからである。従って、演算される適正発光強度に応じて、発光モードを適切に切り替えることができる。
【００９７】
上述の発光モード切替の際、露出値Ｅｖが変わらないように、露光時間の変更に応じて絞り値も自動的に変更した。このため、撮影時にＣＣＤ４０に与えられる露光量を変えることなく、発光モード切替を行うことができる。
さらに、上述の発光モード切替の際、撮影距離、撮像感度を変更せず、露光時間、絞り値を自動的に変更し、切替後の発光モードで適正発光強度を新たに求めた。従って、ユーザに単発発光かＦＰ発光かを考慮させることなく、適正な露光量を与える撮影条件に自動的に設定できる。
【００９８】
また、演算される適正発光強度が発光可能範囲から外れた場合、演算部７４は、撮影距離を変更せずに、最大または最小強度での発光が適正露光量を与えるよう制御した。即ち、適正発光強度（Ｉｄ／Ｉｆｐ）が最小発光強度（Ｉｄｍｉｎ／Ｉｆｐｍｉｎ）より小さい場合、撮像感度を低減させるか、絞り値及び露光時間を増大させることで、適正発光強度を最小発光強度まで高めた。同様に、適正発光強度（Ｉｄ／Ｉｆｐ）が最大発光強度（Ｉｄｍａｘ／Ｉｆｐｍａｘ）より大きい場合、撮像感度を増大させるか、絞り値及び露光時間を低減させることで、適正発光強度を最大発光強度まで下げた。このため、演算される適正発光強度が発光可能範囲から外れた場合、できる限りユーザに撮影距離を変更させずに、最大または最小強度での発光が適正露光量を与える撮影条件に自動的に変更できる。即ち、ユーザは、撮影距離、絞り値、露光時間、撮像感度を一度設定するだけで、適正露光量を与える閃光発光を実施させることができる。
【００９９】
演算される適正発光強度が発光可能範囲を超えた場合、これらを最大発光強度まで下げる推奨撮影距離を警告表示した。同様に、適正発光強度が発光可能範囲より小さい場合、これらを最小発光強度まで高める推奨撮影距離を警告表示した。このため、ユーザは、撮影距離をどのように変更すれば、撮影距離以外の撮影条件を変更せずに、適正露光量を与える発光強度に設定されるかを認識できる。従って、最大または最小強度の発光で適正露光量を与えられるように、撮影距離以外の撮影条件を変更することができない場合、ユーザは、撮影距離を推奨撮影距離に変更するだけで、適正露光量を与える撮影を実施できる。
【０１００】
カメラ側が求める絞り値の適正値または露光時間の適正値が変化した場合、まず、被写体輝度変化と警告表示した（ステップ４４）。従って、ユーザは、絞り値、露光時間等を適正値に設定した後に撮影条件が変化した場合にも、このことを容易に認識できる。そして、ステップ４４の後、ユーザに撮影条件を再設定させるか、あるいはカメラに自動的に撮影条件を再設定させてから、新たに適正発光強度を求めるように制御した（ステップ４５、４６）。この結果、適正範囲外の露光量を与える撮影が行われることを防止できる。
【０１０１】
配光角を画角よりわずかに大きくするように制御した。そして、焦点距離の変更に伴い画角が変更された場合、適正発光強度が発光可能範囲内か否かを再度判定するように制御した。このため、画角の変化により、適正発光強度が発光可能範囲から外れた場合にも、上述と同様に、最大または最小強度での発光が適正露光量を与える撮影条件に自動的に変更できる。即ち、ユーザが撮影条件を設定した後に、焦点距離を変更しても、適正露光量を与える撮影条件に自動的に変更できる。従って、ユーザに配光角を考慮させることなく、適正露光量を与える撮影条件に自動的に設定できる。
【０１０２】
入力された撮影距離と、カメラ側か測定した被写体までの距離との差が大きい場合、カメラ側か測定した距離を警告表示した。このため、ユーザが撮影距離を誤って入力した場合、ユーザは入力ミスを容易に認識できる。従って、適正範囲外の露光量を与える閃光発光が行われることを防止できる。
《本発明の補足事項》
なお、上述した実施形態では、本発明の電子閃光装置を、電子カメラ（カメラ１２）に装着した例を述べた。本発明はかかる実施形態に限定されるものではない。本発明の電子閃光装置は、フィルムカメラと共に用いることもできる。この場合、ステップ１４、２５、３２、３９において、フィルムの撮像感度の変更は不可能なものとして処理すればよい。
【０１０３】
上述した実施形態では、本発明の電子閃光装置１６を、データ交信可能なカメラ１２に装着した例を述べた。本発明はかかる実施形態に限定されるものではない。本発明の電子閃光装置は、データ交信のできないカメラと共に用いることもできる。この場合、例えば、以下の６つに示すように閃光制御装置の機能を変更すればよい。
【０１０４】
第１に、ユーザが操作釦群を操作することで、カメラ側の絞り値、撮像感度、露光時間、焦点距離、Ｘ秒時を入力できるように、設定部７２を変更する。さらに、カメラ側が設定できる絞り値、撮像感度、露光時間の最大値及び最小値を入力できるように、設定部７２を変更する。
第２に、ステップ９で、ユーザに、絞り値、露光時間、撮像感度、焦点距離、Ｘ秒時を設定部に入力させる。さらに、ユーザに、カメラ側が設定できる絞り値、撮像感度、露光時間の最大値及び最小値を入力させる。
【０１０５】
第３に、ステップ１５、２４、３３、４０では、推奨撮像感度を表示部に表示させる。そして、ユーザに、カメラの撮像感度をこの推奨撮像感度に変更させる。
第４に、ステップ１７、２２、２４、３８では、推奨絞り値、推奨露光時間を表示部に表示させる。そして、ユーザに、カメラの絞り値、露光時間をこれら推奨絞り値及び推奨露光時間に変更させる。
【０１０６】
第５に、ステップ４３で、絞り値及び露光時間の適正値は変更されないものとして処理する。
第６に、ステップ４７で、画角は変更されないものとして処理する。
上述した実施形態では、ステップ２２で、露光時間をＸ秒時以下に短くすると共に絞り値を小さくしてから、ＦＰ発光モードに切り替えた例を述べた。本発明はかかる実施形態に限定されるものではない。露光時間及び絞り値を変更しないでＦＰ発光モードに切り替えてもよい。
【０１０７】
上述した実施形態では、適正単発発光強度Ｉｄを（１）式から導かれる（３）式に基づいて求めた。本発明はかかる実施形態に限定されるものではない。（１）式は実質的に適正光量になるものであり、例えば、量子化誤差を含むもの、端数を四捨五入したものであってもよい。適正ＦＰ発光強度Ｉｆｐの演算（（４）式、（６）式）についても同様である。
【０１０８】
上述した実施形態では、適正発光強度が発光可能範囲を超えた場合の推奨撮影距離を、数値として警告表示した例を述べた。本発明は、かかる実施形態に限定されるものではない。例えば、「撮影距離を２メートルに変更して下さい」と推奨撮影距離を音声で知らせてもよい。絞り値の適正値、露光時間の適正値が変化した場合の警告（ステップ４４）も、音声で行ってもよい。
【０１０９】
上述した実施形態では、発光の配光角は、画角よりわずかに大きくされる例について述べた。本発明は、かかる実施形態に限定されるものではない。配光角を画角に等しくしてもよい。また、演算された適正発光強度が最小発光強度より小さい場合、配光角を画角より大きくすることで、最小発光強度をさらに小さくしてもよい。
【０１１０】
上述した実施形態では、演算された適正発光強度（Ｉｄ／Ｉｆｐ）及び発光モード（単発発光／ＦＰ発光）を表示しない例を述べた。本発明は、かかる実施形態に限定されるものではない。適正発光強度及び発光モードを表示してもよい。
【０１１１】
【発明の効果】
本発明の閃光制御装置では、ユーザに撮影距離を入力させ、露光時間に応じて単発発光モードまたはＦＰ発光モードに自動的に設定した。そして、撮影距離、絞り値、露光時間、撮像感度に応じて、単発発光モードまたはＦＰ発光モードに自動的に設定し、設定されたモードでの適正発光強度を求めた。このため、単発発光、ＦＰ発光、１／２発光等に関する知識のない初心者でも、適正露光量を与える発光強度に容易に設定できる。
【０１１２】
また、求めた適正発光強度が発光可能範囲から外れた場合、できる限りユーザに撮影距離を変更させることなく、適正な露光量を与える撮影条件（絞り値、露光時間、撮像感度、発光モード）に自動的に変更できる。この結果、ユーザに単発発光かＦＰ発光かを考慮させることなく、適正な露光量を与える撮影条件に設定できる。
【図面の簡単な説明】
【図１】本発明の撮影システムの構成を示すブロック図である。
【図２】単発発光の発光強度の時間変化の一例を示す説明図である。
【図３】ＦＰ発光の発光強度の時間変化の一例を示す説明図である。
【図４】本発明の撮影システムの、動作フローの導入部分を示す流れ図である。
【図５】図４の最後の処理で、単発発光モードに設定後の処理を説明する流れ図である。
【図６】図４の最後の処理で、ＦＰ発光モードに設定後の処理を説明する流れ図である。
【図７】本発明の撮影システムの、動作フローの最終部分を示す流れ図である。
【図８】表示部の表示例を示す説明図である。
【図９】表示部の別の表示例を示す説明図である。
【符号の説明】
１０　撮影システム
１２　カメラ
１４　閃光制御装置
１６　電子閃光装置
２２　距離測定部
２４　撮影レンズ
２６　絞り
３０　ペンタプリズム
３２　拡散板
３４　ミラー
３８　フォーカルプレーンシャッタ
４０　ＣＣＤ
４２　画像処理部
４４　記録部
４８　ＣＰＵ
５０　露出設定部
５２　レリーズ釦
５４　ファインダー
５６　測光部
５８　通信端子
６４　発光部
６６　センサ
７０　表示部
７２　設定部
７４　演算部
７６　シュー接点
７８　発光制御部
【図１】
2004085885.tif 000008
【図２】
2004085885.tif 000009
【図３】
2004085885.tif 000010
【図４】
2004085885.tif 000011
【図５】
2004085885.tif 000012
【図６】
2004085885.tif 000013
【図７】
2004085885.tif 000014
【図８】
2004085885.tif 000015
【図９】
2004085885.tif 000016